(57)【要約】【課題】筐体内の圧力の上昇を抑制することができる積層型電池を提供する。【解決手段】この積層型電池１は、セパレータ３１を介在させつつ正極板３２と負極板３３とが積層された積層体３０と、導電性を有し、積層体３０を内部に収容する筐体２と、を備え、筐体２は、積層体３０の積層方向において積層体３０に対向する第１対向面１１ａを有し、かつ、複数の正極板３２に電気的に接続される第１筐体部１０と、積層体２の積層方向において第１対向面１１ａが位置する側とは反対側から積層体１０に対向する第２対向面２１ａを有し、かつ、複数の負極板３３に電気的に接続される第２筐体部２０と、を含み、第１対向面１１ａおよび第２対向面２１ａの少なくとも一方の対向面は、積層体３０から積層方向に離れる方向に後退し、空隙Ｓを介して積層体３０に対向する後退面１６ａを有する。【選択図】図３
2018045946.tif 000002
【特許請求の範囲】
【請求項１】
複数の正極板、複数の負極板、および複数のセパレータを含み、前記セパレータを介在させつつ前記正極板と前記負極板とが積層された積層体と、
導電性を有し、前記積層体を内部に収容する筐体と、を備え、
前記筐体は、
前記積層体の積層方向において前記積層体に対向する第１対向面を有し、かつ、複数の前記正極板に電気的に接続される第１筐体部と、
前記積層体の前記積層方向において前記第１対向面が位置する側とは反対側から前記積層体に対向する第２対向面を有し、かつ、複数の前記負極板に電気的に接続される第２筐体部と、を含み、
前記第１対向面および前記第２対向面の少なくとも一方の対向面は、前記積層体から前記積層方向に離れる方向に後退し、空隙を介して前記積層体に対向する後退面を有する、積層型電池。
【請求項２】
前記少なくとも一方の対向面と前記積層体との間に配置された絶縁板をさらに備える、請求項１に記載の積層型電池。
【発明の詳細な説明】
【技術分野】
【０００１】
本発明は、車載に搭載される積層型電池に関する。
【背景技術】
【０００２】
セパレータを介在させつつ正極と負極とを積層して構成される積層型電池が開示された文献として、たとえば、特許第５３６９３４２号公報（特許文献１）が挙げられる。
【０００３】
特許文献１に開示の積層型電池にあっては、有底四角筒型の容器と容器の開口を閉塞する蓋部材とによって構成される外装体（筐体）の内部に、電解液を保持するセパレータを介在させつつ正極と負極とが積層された積層体（電極体）が収容されている。積層体は、軸方向において外装体の内部に密に充填されており、絶縁板を介して、蓋部材と容器の底部とによって挟み込まれている。
【先行技術文献】
【特許文献】
【０００４】
【特許文献１】特許第５３６９３４２号公報
【発明の概要】
【発明が解決しようとする課題】
【０００５】
しかしながら、特許文献１に開示の積層型電池にあっては、蓋部材側および底部側の各々において、外装体と絶縁板とが平面方向に隙間なく接触している。同様に、蓋部材側および底部側の各々において、積層体と絶縁板とが平面方向に隙間なく接触している。
【０００６】
積層型電池にあっては、電解液が分解することにより積層体からガスが発生する場合がある。ガスが発生した場合には、外装体の内圧が上昇する。特許文献１のように積層体が絶縁板を介して外装体と平面方向に密着している場合には、内圧の上昇によって外装体が破損したり、微量のガスの発生によって無用にガス放出弁が開弁したりする。
【０００７】
本発明は、上記のような問題に鑑みてなされたものであり、本発明の目的は、筐体内の圧力の上昇を抑制することができる積層型電池を提供することにある。
【課題を解決するための手段】
【０００８】
この積層型電池は、複数の正極板、複数の負極板、および複数のセパレータを含み、上記セパレータを介在させつつ上記正極板と上記負極板とが積層された積層体と、導電性を有し、上記積層体を内部に収容する筐体と、を備え、上記筐体は、上記積層体の積層方向において上記積層体に対向する第１対向面を有し、かつ、複数の上記正極板に電気的に接続される第１筐体部と、上記積層体の上記積層方向において上記第１対向面が位置する側とは反対側から上記積層体に対向する第２対向面を有し、かつ、複数の上記負極板に電気的に接続される第２筐体部と、を含み、上記第１対向面および上記第２対向面の少なくとも一方の対向面は、上記積層体から上記積層方向に離れる方向に後退し、空隙を介して上記積層体に対向する後退面を有する。
【０００９】
このように構成することにより、積層体からガスが発生した場合であっても、後退面と積層体との間の空隙にガスを逃がすことができる。これにより、筐体の内圧が上昇することを抑制することができる。
【００１０】
上記積層型電池は、上記少なくとも一方の対向面と上記積層体との間に配置された絶縁板をさらに備えていてもよい。
【００１１】
このように構成し、第１対向面および第２対向面の少なくとも一方の対向面に後退面が設けられる場合であっても、上記少なくとも一方の対向面と積層体との間に絶縁板を配置することにより、積層体が第１対向面と第２対向面とによって挟持されることにより、積層体に加えられる荷重を絶縁板によって分散し、面内方向に略均一にすることができる。これにより、筐体内で積層体がずれることを抑制でき、耐振動性を向上させることができる。
【発明の効果】
【００１２】
本発明によれば、筐体内の圧力の上昇を抑制することができる積層型電池を提供することができる。
【図面の簡単な説明】
【００１３】
【図１】実施の形態１に係る積層型電池の分解斜視図である。
【図２】実施の形態１に係る第１筐体部の平面図である。
【図３】図１に示すＩＩＩ−ＩＩＩ線に沿った積層型電池の断面図である。
【図４】実施の形態２に係る積層型電池の斜視図である。
【図５】実施の形態２に係る第１筐体部の斜視図である。
【図６】実施の形態２に係る積層型電池の断面図である。
【図７】実施の形態３に係る積層型電池の第１筐体部の平面図である。
【図８】実施の形態４に係る積層型電池の第１筐体部の平面図である。
【図９】実施の形態５に係る積層型電池の第１筐体部の平面図である。
【図１０】実施の形態６に係る積層型電池の断面図である。
【発明を実施するための形態】
【００１４】
以下、本発明の実施の形態について、図を参照して詳細に説明する。なお、実施の形態においては、積層型電池として、ニッケル水素電池を例示して説明する。また、以下に示す実施の形態においては、同一のまたは共通する部分について図中同一の符号を付し、その説明は繰り返さない。
【００１５】
（実施の形態１）
図１は、実施の形態１に係る積層型電池の分解斜視図である。図２は、実施の形態１に係る第１筐体部の平面図である。図３は、図１に示すＩＩＩ−ＩＩＩ線に沿った積層型電池の断面図である。図１から図３を参照して、実施の形態１に係る積層型電池１について説明する。
【００１６】
図１に示すように、実施の形態１に係る積層型電池１は、筐体２と、積層体３０と、ガスケット４１，４２，４３，４４を備える。筐体２は、内部に積層体３０を収容可能に構成されている。筐体２は、第１筐体部１０、および第２筐体部２０を含む。
【００１７】
第１筐体部１０は、導電性を有する金属部材によって構成されている。第１筐体部１０としては、たとえばＮｉ等の金属部材、およびＮｉめっき鋼板を採用することができる。第１筐体部１０は、第１対向部１１、および一対の側壁部１２，１３を含む。第１対向部１１、および一対の側壁部１２，１３は金属板によって一体に構成されていることが好ましい。
【００１８】
第１対向部１１は、後述する積層体３０の積層方向（Ｚ軸方向）の一方側において、積層体３０と対向する。第１対向部１１は、上記積層方向から見た場合に、略矩形形状を有する。第１対向部１１は、積層体３０に近い側に位置する平坦部１９および筐体２内の空間が広がるように積層体３０から離れる方向に膨出する複数の膨出部１６を有する。
【００１９】
図１および図２に示すように、複数の膨出部１６は、平坦部１９よりも積層体３０から遠い側に位置する。複数の膨出部１６は、第２方向に延在する。具体的には、複数の膨出部１６は、第２方向における第１対向部１１の一方側の端部から他方側の端部に亘って延在する。
【００２０】
複数の膨出部１６は、第２方向に沿って互いに離間して配置されている。複数の膨出部１６は、たとえば３つの膨出部１６によって構成されている。なお、膨出部１６の個数は、３つに限定されず、１つでもよいし、２つでもよいし、４つ以上であってもよい。
【００２１】
再び図１に示すように、一対の側壁部１２，１３は、積層方向に直交する第１方向（Ｘ軸方向）に対向する。一対の側壁部１２，１３は、上記第１方向における第１対向部１１の両端側から第２筐体部２０に近づくように積層方向に沿って延在する。一対の側壁部１２，１３は、後述する第２対向部２１の第１方向における両側において、後述する一対の側壁部２２，２３の間の隙間に入り込む。
【００２２】
積層方向および第１方向に直交する第２方向（Ｙ軸方向）における側壁部１２の両端側には、かしめ部１４が設けられている。第１筐体部１０を第２筐体部２０に固定する際に、第１対向部１１から第２方向にはみ出す部分の側壁部１２をかしめることにより、形成される。
【００２３】
上記第２方向（Ｙ軸方向）における側壁部１３の両端側には、かしめ部１５が設けられている。第１筐体部１０を第２筐体部２０に固定する際に、第１対向部１１から第２方向にはみ出す部分の側壁部１３をかしめることにより、形成される。
【００２４】
ガスケット４１，４２は、第１筐体部１０と第２筐体部２０との内部の空間を液密に維持するためのものである。ガスケット４１，４２は、絶縁性部材によって構成されており、第１筐体部１０と第２筐体部２０とを電気的に絶縁する。絶縁性部材としては、たとえばＰＰＳ（ポリフェニレンサルファイド）、ＰＦＡ（ペルフルオロアルコキシフッ素樹脂）等の耐電解液性のある樹脂を採用することができる。
【００２５】
ガスケット４１，４２は、第１対向部１１が位置する側とは反対側に位置する側壁部１２，１３の端部に設けられている。ガスケット４１，４２は、上記側壁部１２，１３の端部に向けて開口する溝部を有する。当該溝部が側壁部１２，１３の端部に圧入されることにより、ガスケット４１，４２は、一対の側壁部１２，１３に固定される。
【００２６】
第２筐体部２０は、導電性を有する金属部材によって構成されている。第２筐体部２０としては、たとえばＮｉ等の金属部材、およびＮｉめっき鋼板を採用することができる。第２筐体部２０は、第２対向部２１、および一対の側壁部２２、２３を含む。第２対向部２１、および一対の側壁部２２，２３は、金属板によって一体に構成されていることが好ましい。
【００２７】
第２対向部２１は、積層体３０の積層方向において第１対向部１１が位置する側とは反対側から積層体３０に対向する。第２対向部２１は、積層体３０の積層方向から見た場合に略矩形形状を有する。第２対向部２１は、平坦に構成されている。
【００２８】
一対の側壁部２２，２３は、第２方向（Ｙ軸方向）に対向する。一対の側壁部２２，２３は、一対の側壁部２２，２３は、上記第２方向における第２対向部２１の両端側から第１筐体部１０に近づくように積層方向に沿って延在する。一対の側壁部２２，２３は、第２方向における第１対向部１１の両端側において、一対の側壁部１２，１３の間の隙間に入り込む。
【００２９】
ガスケット４３，４４は、第１筐体部１０と第２筐体部２０との内部の空間を液密に維持するためのものである。ガスケット４３，４４は、絶縁性部材によって構成されており、第１筐体部１０と第２筐体部２０とを絶縁する。絶縁性部材としては、たとえばＰＰＳ（ポリフェニレンサルファイド）、ＰＦＡ（ペルフルオロアルコキシフッ素樹脂）等の耐電解液性のある樹脂を採用することができる。
【００３０】
ガスケット４３、４４は、第２対向部２１との接続部を除く一対の側壁部２２，２３の周囲を囲むように設けられている。ガスケット４３、４４は、第２対向部２１との接続部を除く一対の側壁部２２，２３の周囲に嵌り込む溝部を有する。当該溝部が第２対向部２１との接続部を除く一対の側壁部２２，２３の周囲に圧入されることにより、ガスケット４３，４４は、一対の側壁部２２，２３に固定される。
【００３１】
積層体３０は、複数の正極板３２、複数の負極板３３、および複数のセパレータ３１を含む。積層体３０は、セパレータ３１を間に介在させつつ正極板３２および負極板３３が積層されることにより構成される。
【００３２】
正極板３２は、板状形状を有する。正極板３２は、正極活物質を有する。正極活物質としては、たとえば水酸化ニッケルを用いることができる。正極板３２は、水酸化ニッケルを主体として含むペーストを、基板上に塗布することで形成される。
【００３３】
負極板３３は、板状形状を有する。負極板３３は、負極活物質を有する。負極活物質としては、たとえば水素吸蔵合金を用いることができる。負極板３３は、水素吸蔵合金を主体として含むペーストを基板上に塗布することで形成される。
【００３４】
正極板３２および負極板３３を形成する基板としては、たとえば多孔性を有する導電性部材を用いることができる。多孔性を有する導電性部材として、たとえば発泡ニッケルシートを用いることができる。
【００３５】
セパレータ３１は、正極板３２および負極板３３の短絡を防止しつつ、電解液を保持する。セパレータ３１としては、イオン透過性及び絶縁性を有する多孔性シートが用いられる。セパレータ３１としては、たとえば、ポリオレフィン系不織布を採用することができる。電解液としては、たとえば、ニッケル水素電池に一般的に使用されるアルカリ系水溶液、ＫＯＨ水溶液を採用することができる。
【００３６】
なお、積層体３０を構成する際には、予め電解液が含浸されたセパレータ３１を間に介在させつつ正極板３２および負極板３３を積層するが、積層体３０が筐体２内に収容された後に、筐体２に設けられた注入孔（不図示）から電解液が筐体２の内部に注入されることが好ましい。電解液が注入された後には、注入孔は封止部材によって封止される。また、筐体２には、温度上昇等によって筐体２の内圧が上昇したときに内部の気体を排出する気体排出弁（不図示）が設けられている。
【００３７】
図１および図３に示すように、複数の正極板３２は、積層方向から見た場合に、第１方向においてセパレータ３１からはみ出す。これにより、複数の正極板３２は、第１筐体部１０に電気的に接続される。具体的には、第１方向における正極板３２の両端が、一対の側壁部１２，１３に接続される。
【００３８】
正極板３２は、セルメット（登録商標）および導電性接着剤等の導電性を有する柔軟性部材を介して一対の側壁部１２，１３に接続されていてもよいし、溶接等によって一対の側壁部１２，１３に接続されていてもよい。
【００３９】
また、正極板３２は、第１方向における正極板３２の長さが、第１方向における一対の側壁部１２，１３の間の距離よりも若干大きく構成され、一対の側壁部１２，１３の内表面に圧接されることで、一対の側壁部１２，１３に接続されてもよい。複数の正極板３２の両端を一対の側壁部１２，１３に圧接する場合には、各正極板３２と一対の側壁部１２，１３との接触が確実となる。一対の側壁部１２，１３は、正極用の集電体として機能する。
【００４０】
一方、複数の負極板３３は、積層方向から見た場合に、第２方向においてセパレータ３１からはみ出す。これにより、複数の負極板３３は、第２筐体部２０に電気的に接続される。具体的には、第２方向における負極板３３の両端が、一対の側壁部２２，２３に接続される。
【００４１】
負極板３３は、溶接によって一対の側壁部２２，２３に接続されていてもよい。また、負極板３３は、第２方向における負極板３３の長さが、第２方向における一対の側壁部２２，２３の間の距離よりも若干大きく構成され、一対の側壁部２２，２３の内表面に圧接されることで、一対の側壁部２２，２３に接続されてもよい。一対の側壁部２２，２３は、負極用の集電体として機能する。
【００４２】
上述のように、正極板３２および負極板３３を板状形状とし、圧接により、複数の正極板３２を一対の側壁部１２，１３に接続するとともに、複数の負極板３３を一対の側壁部２２，２３に接続する構成とする場合には、導電性に応じて第２方向における正極板３２の長さおよび第１方向における負極板３３の長さを調整することにより、正極用の集電体として機能する一対の側壁部１２，１３と複数の正極板３２との接触面積および負極用の集電体として機能する一対の側壁部２２，２３と複数の負極板３３との接触面積を適宜調整することができる。
【００４３】
正極用の集電体として機能する一対の側壁部１２，１３と複数の正極板３２との接触面積と、負極用の集電体として機能する一対の側壁部２２，２３と複数の負極板３３との接触面積とを略同等とすることにより、正極板３２および負極板３３に流れる電流の偏りを抑制することができる。
【００４４】
また、正極板３２が筐体２の外殻の一部を構成する一対の側壁部１２，１３に直接接続され、負極板３３が筐体２の外殻の他の一部を構成する一対の側壁部２２，２３に直接接続されることにより、正極板３２および負極板３３の冷却効率を高めることができる。
【００４５】
さらに、圧接により、複数の正極板３２を一対の側壁部１２，１３に接続するとともに、複数の負極板３３を一対の側壁部２２，２３に接続する構成とする場合には、溶接やリード線を用いて複数の正極板３２と一対の側壁部１２，１３とを接続したり、複数の負極板３３と一対の側壁部２２，２３とを接続したりすることを省略できる。これにより、製造工程を簡略化できるとともに製造コストを低減させることができる。
【００４６】
また、一対の側壁部１２，１３、および一対の側壁部２２，２３を集電体として機能させることにより、別途集電体を設ける必要がなくなるため、部品抵抗、部品点数、および重量を削減することができる。
【００４７】
積層体３０は、第１対向部１１と第２対向部２１とによって挟持されている。第１対向部１１は、積層体３０に対向する第１対向面１１ａを有する。第１対向面１１ａは、上述のように複数の膨出部１６が設けられることにより、積層体３０から積層方向に離れる方向に後退し、空隙Ｓを介して積層体３０に対向する後退面１６ａを有する。
【００４８】
第２対向部２１は、積層方向において第１対向面１１ａが位置する側とは反対側から積層体３０に対向する第２対向面２１ａを有する。第２対向面２１ａは、平坦に構成されている。
【００４９】
ここで、積層型電池にあっては、電解液が分解することによりガスが発生する場合がある。たとえば、充電時において、電解液に含まれる水の電気分解が電極の副反応として起きるため、ガス（水素）が発生する場合がある。
【００５０】
実施の形態１に係る積層体型電池においては、上述のように、第１対向面１１ａが、積層体３０から積層方向に離れる方向に後退し、空隙Ｓを介して積層体３０に対向する後退面１６ａを有することにより、後退面１６ａと積層体３０との間の空隙Ｓにガスを逃がすことができる。これにより、筐体２の内圧が上昇することを抑制することができる。この結果、内圧の上昇によって外装体が破損したり、微量のガスの発生によって無用にガス放出弁が開弁したりすることを回避することができる。
【００５１】
（実施の形態２）
図４は、実施の形態２に係る積層型電池の斜視図である。図５は、実施の形態２に係る第１筐体部の斜視図である。図６は、実施の形態２に係る積層型電池の断面図である。図４から図６を参照して、実施の形態２に係る積層型電池１Ａについて説明する。
【００５２】
積層型電池１Ａは、実施の形態１に係る積層型電池１と比較した場合に、複数の筐体部が積層されており、互いに隣り合う複数の筐体部の間の各々に、積層体が収容されている点において相違する。なお、互いに隣り合う筐体部は、ガスケットによって絶縁されている。
【００５３】
図４から図６に示すように、積層型電池１Ａは、第１筐体部１０Ａ、第２筐体部１０Ｂ、および第３筐体部１０Ｃによって構成される筐体２Ａと、第１積層体３０Ａ、および第２積層体３０Ｂを含む。第１筐体部１０Ａ、第２筐体部１０Ｂおよび第３筐体部１０Ｃは、第１積層体３０Ａおよび第２積層体３０Ｂの積層方向に積層されている。
【００５４】
第１積層体３０Ａは、第１筐体部１０Ａと第２筐体部１０Ｂとの間の空間に配置されている。第２積層体３０Ｂは、第２筐体部１０Ｂと第３筐体部１０Ｃとの間の空間に配置されている。第２積層体３０Ｂは、第１積層体３０Ａを積層方向に平行な中心軸周りに９０度回転させた状態で配置されている。なお、第１積層体３０Ａおよび第２積層体３０Ｂの構成は、実施の形態１に係る積層体３０の構成とほぼ同様であるため、その説明は省略する。
【００５５】
図５に示すように、第１筐体部１０Ａは、第１対向部１１Ａ、一対の第１側壁部１２Ａ，１３Ａ、および一対の第２側壁部１７Ａ，１８Ａを含む。
【００５６】
第１対向部１１Ａは、積層方向（Ｚ軸方向）の一方側において、第１積層体３０Ａと対向する。第１対向部１１Ａは、上記積層方向から見た場合に、略矩形形状を有する。第１対向部１１は、第１積層体３０Ａに近い平坦部１９Ａと、筐体２内の空間が広がるように第１積層体３０Ａから離れる方向に膨出する複数の膨出部１６を有する。
【００５７】
一対の第１側壁部１２Ａ，１３Ａは、積層方向に直交する第１方向（Ｘ軸方向）に対向する。一対の第１側壁部１２Ａ，１３Ａは、上記第１方向における第１対向部１１Ａの両端側から第２筐体部１０Ｂに近づくように積層方向に沿って延在する。
【００５８】
一対の第２側壁部１７Ａ，１８Ａは、上記積層方向、および上記第１方向に直交する第２方向に対向する。一対の第２側壁部１７Ａ，１８Ａは、上記第２方向における第１対向部１１Ａの両端側から第２筐体部１０Ｂから離れるように積層方向に沿って延在する。
【００５９】
第１対向部１１が位置する側とは反対側に位置する一対の第１側壁部１２Ａ，１３Ａの端部には、ガスケット４１Ａ，４２Ａが設けられている。第１対向部１１Ａとの接続部を除く一対の第２側壁部１７Ａ，１８Ａの周囲には、ガスケット４３Ａ，４４Ａが設けられている。
【００６０】
第２筐体部１０Ｂ、および第３筐体部１０Ｃは、第１筐体部１０Ａとほぼ同様に構成されている。
【００６１】
第２筐体部１０Ｂは、第２対向部１１Ｂ、一対の第１側壁部１２Ｂ，１３Ｂおよび一対の第２側壁部１７Ｂ，１８Ｂを含む。第２対向部１１Ｂは、第１筐体部１０Ａの第１対向部１１Ａに対応する。第２対向部１１Ｂにおいても複数の膨出部１６Ｂが設けられている。一対の第１側壁部１２Ｂ，１３Ｂは、第１筐体部１０Ａの一対の第１側壁部１２Ａ，１３Ａに対応する。一対の第２側壁部１７Ｂ，１８Ｂは、第１筐体部１０Ａの一対の第２側壁部１７Ａ，１８Ａに対応する。
【００６２】
第２対向部１１Ｂが位置する側とは反対側に位置する一対の第１側壁部１２Ｂ，１３Ｂの端部には、ガスケット４１Ｂ，４２Ｂ（図６参照）が設けられている。第２対向部１１Ｂとの接続部を除く一対の第２側壁部１７Ｂ，１８Ｂの各々の周囲には、ガスケット（不図示）が設けられている。
【００６３】
第３筐体部１０Ｃは、第３対向部１１Ｃ、一対の第１側壁部１２Ｃ，１３Ｃおよび一対の第２側壁部１７Ｃ，１８Ｃを含む。第３対向部１１Ｃは、第１筐体部１０Ａの第１対向部１１Ａに対応する。第３対向部１１Ｃにおいても複数の膨出部１６Ｃが設けられている。一対の第１側壁部１２Ｃ，１３Ｃは、第１筐体部１０Ａの一対の第１側壁部１２Ａ，１３Ａに対応する。一対の第２側壁部１７Ｃ，１８Ｃは、第１筐体部１０Ａの一対の第２側壁部１７Ａ，１８Ａに対応する。
【００６４】
第３対向部１１Ｃが位置する側とは反対側に位置する一対の第１側壁部１２Ｃ，１３Ｃの端部には、ガスケット４１Ｃ，４２Ｃ（図６参照）が設けられている。第３対向部１１Ｃとの接続部を除く一対の第２側壁部１７Ｃ，１８Ｃの各々の周囲には、ガスケット（不図示）が設けられている。
【００６５】
再び図６に示すように、第１筐体部１０Ａから第３筐体部１０Ｃが積層された状態においては、第１筐体部１０Ａの一対の第１側壁部１２Ａ，１３Ａが、第１方向における第２対向部１１Ｂの両側において、一対の第２側壁部１７Ｂ，１８Ｂの間に入り込む。
【００６６】
一対の第１側壁部１２Ａ，１３Ａの端部に設けられたガスケット４１Ａ，４２Ａ、および一対の第２側壁部１７Ｂ，１８Ｂの周囲に設けられたガスケット（不図示）によって、第１筐体部１０Ａと第２筐体部１０Ｂとが電気的に絶縁されるとともに、第１筐体部１０Ａと第２筐体部１０Ｂとの内部が液密に維持される。
【００６７】
同様に、第１筐体部１０Ａから第３筐体部１０Ｃが積層された状態においては、第２筐体部１０Ｂの一対の第１側壁部１２Ｂ，１３Ｂが第１方向における第３対向部１１Ｃの両側において、一対の第２側壁部１７Ｃ，１８Ｃの間に入り込む。
【００６８】
一対の第１側壁部１２Ｂ，１３Ｂの端部に設けられたガスケット４１Ｂ，４２Ｂ、および一対の第２側壁部１７Ｃ，１８Ｃの周囲に設けられたガスケット（不図示）によって、第２筐体部１０Ｂと第３筐体部１０Ｃとが電気的に絶縁されるとともに、第２筐体部１０Ｂと第３筐体部１０Ｃとの内部が液密に維持される。
【００６９】
第１積層体３０Ａは、第１対向部１１Ａと第２対向部１１Ｂとによって挟持されている。具体的には、第１積層体３０Ａは、第１対向部１１Ａの平坦部１９Ａと第２対向部１１Ｂの膨出部１６Ｂとによって挟持されている。
【００７０】
第１積層体３０Ａにおける複数の正極板３２は、第１筐体部１０Ａの一対の第１側壁部１２Ａ，１３Ａに接続されている。第１筐体部１０Ａの一対の第１側壁部１２Ａ，１３Ａは、正極用の集電体として機能する。
【００７１】
第１積層体３０Ａにおける複数の負極板３３は、第２筐体部１０Ｂの一対の第２側壁部１７Ｂ，１８Ｂに接続されている。第２筐体部１０Ｂの一対の第２側壁部１７Ｂ，１８Ｂは、負極用の集電体として機能する。
【００７２】
ここで、第１対向部１１Ａは、第１積層体３０Ａに対向する第１対向面１１ａを有する。第１対向部１１Ａには上述のように複数の膨出部１６Ａが設けられることにより、第１対向面１１ａは、第１積層体３０Ａから積層方向に離れる方向に後退し、空隙Ｓを介して積層体３０に対向する後退面１６ａを有する。
【００７３】
また、第２対向部１１Ｂは、第１積層体３０Ａに対向する第２対向面１１ｂ１を有する。第２対向部１１Ｂは、上述のように膨出部１６Ｂを有し、当該膨出部１６Ｂに第１積層体３０Ａが載置されることから、第２対向部１１Ｂの平坦部１９Ｂが、第１積層体３０Ａから離れて位置することとなる。これにより、第２対向面１１ｂ１は、第１積層体３０Ａから積層方向に離れる方向に後退し、空隙Ｓを介して第１積層体３０Ａに対向する後退面１６ｂ１を有する。
【００７４】
このように、第１対向面１１ａが、後退面１６ａを有するとともに、第２対向面１１ｂ１が、後退面１６ｂ１を有することにより、第１積層体３０Ａからガスが発生した場合に、後退面１６ａと積層体３０との間の空隙Ｓ、および後退面１６ｂ１と第１積層体３０Ａとの間の空隙Ｓにガスを逃がすことができる。すなわち、第１積層体３０Ａの積層方向の両側においてガスを逃がすことができる。
【００７５】
第２積層体３０Ｂは、第２対向部１１Ｂと第３対向部１１Ｃとによって挟持されている。具体的には、第２積層体３０Ｂは、第２対向部１１Ｂの平坦部１９Ｂと第３対向部１１Ｃの膨出部１６Ｃとによって挟持されている。
【００７６】
第２積層体３０Ｂにおける複数の正極板３２は、第３筐体部１０Ｃの一対の第２側壁部１７Ｃ，１８Ｃに接続されている。第３筐体部１０Ｃの一対の第２側壁部１７Ｃ，１８Ｃは、負極用の集電体として機能する。
【００７７】
第２積層体３０Ｂにおける複数の負極板３３は、第２筐体部１０Ｂの一対の第１側壁部１２Ｂ，１３Ｂに接続されている。第２筐体部１０Ｂの一対の第１側壁部１２Ｂ，１３Ｂは、負極の集電体として機能する。
【００７８】
ここで、第２対向部１１Ｂは、第２積層体３０Ｂに対向する第３対向面１１ｂ２を有する。第２対向部１１Ｂには上述のように複数の膨出部１６Ｂが設けられることにより、第３対向面１１ｂ２は、第２積層体３０Ｂから積層方向に離れる方向に後退し、空隙Ｓを介して第２積層体３０Ｂに対向する後退面１６ｂ２を有する。
【００７９】
また、第３対向部１１Ｃは、第１積層体３０Ａに対向する第４対向面１１ｃを有する。第３対向部１１Ｃは、上述のように膨出部１６Ｃを有し、当該膨出部１６Ｃに第２積層体３０Ｂが載置されることから、第３対向部１１Ｃの平坦部１９Ｂが、第２積層体３０Ｂから離れて位置することとなる。これにより、第４対向面１１ｃは、第２積層体３０Ｂから積層方向に離れる方向に後退し、空隙Ｓを介して第２積層体３０Ｂに対向する後退面１６ｃを有する。
【００８０】
このように、第３対向面１１ｂ２が、後退面１６ｂ２を有するとともに、第４対向面１１ｃが、後退面１６ｃを有することにより、第２積層体３０Ｂからガスが発生した場合に、後退面１６ｂ２と第２積層体３０Ｂとの間の空隙Ｓ、および後退面１６ｃと第２積層体３０Ｂとの間の空隙Ｓにガスを逃がすことができる。すなわち、第２積層体３０Ｂの積層方向の両側においてガスを逃がすことができる。
【００８１】
以上のように、実施の形態２に係る積層型電池１Ａにあっては、第１積層体３０Ａおよび第２積層体３０Ｂの各々において、第１積層体３０Ａおよび第２積層体３０Ｂの積層方向の両側にガスを逃がすことができ、これにより、ガスが発生した場合でも筐体２Ａ内の圧力の上昇を抑制することができる。
【００８２】
また、筐体２Ａを複数の筐体部（第１筐体部１０Ａから第３筐体部１０Ｃ）で構成し、互いに隣り合う複数の筐体部の間の各々に積層体を収容するとともに、これら積層体を直列に電気的に接続することにより、高い出力を得ることができる。複数の積層体を積層方向に平行な中心軸周りに９０°回転させながら交互に配置することにより、互いに隣り合う筐体部の第１側壁部が、上述のように正極の集電体および負極の集電体として交互に並ぶこととなる。これにより、複数の積層体を容易に直列で接続することができる。
【００８３】
また、複数の筐体部（第１筐体部１０Ａから第３筐体部１０Ｃ）を同一の形状とすることにより、部品を共通化することができる。これにより製造コストを低減させることもできる。
【００８４】
（実施の形態３）
図７は、実施の形態３に係る積層型電池の第１筐体部の平面図である。図７を参照して、実施の形態３に係る積層型電池について説明する。
【００８５】
図７に示すように、実施の形態３に係る積層型電池は、実施の形態１に係る積層型電池と比較した場合に、第１筐体部１０Ｄの形状が相違する。その他の構成については、ほぼ同様である。
【００８６】
第１筐体部１０Ｄにあっては、第１対向部１１が、第１膨出部１６１および第２膨出部１６２を有する。第１膨出部１６１は、第１対向部１１の中央部に設けられている。第１膨出部１６１は、略箱型形状を有する。第２膨出部１６２は、第１膨出部１６１を囲むように設けられている。第２膨出部１６２は、略枠状形状を有する。
【００８７】
このように、第１膨出部１６１および第２膨出部１６２が設けられることにより、実施の形態３に係る積層型電池にあっても、積層体３０に対向する第１対向部１１の対向面が、積層体から積層方向に離れる方向に後退し、空隙を介して積層体３０に対向する後退面を有することとなる。
【００８８】
この結果、実施の形態３に係る積層型電池にあっても、実施の形態１に係る積層型電池とほぼ同様の効果を得ることができる。
【００８９】
（実施の形態４）
図８は、実施の形態４に係る積層型電池の第１筐体部の平面図である。図８を参照して、実施の形態４に係る積層型電池について説明する。
【００９０】
図８に示すように、実施の形態４に係る積層型電池は、実施の形態１に係る積層型電池と比較した場合に、第１筐体部１０Ｅの形状が相違する。その他の構成については、ほぼ同様である。
【００９１】
第１筐体部１０Ｅにあっては、複数の膨出部１６Ｅが、第１方向に延在する。具体的には、複数の膨出部１６Ｅは、第１方向における第１対向部１１の一方側の端部から他方側の端部に亘って第２方向に延在する。
【００９２】
このように複数の膨出部１６Ｅが設けられることにより、実施の形態４に係る積層型電池にあっても、積層体３０に対向する第１対向部１１の対向面が、積層体から積層方向に離れる方向に後退し、空隙を介して積層体３０に対向する後退面を有することとなる。
【００９３】
この結果、実施の形態４に係る積層型電池にあっても、実施の形態１に係る積層型電池とほぼ同様の効果を得ることができる。
【００９４】
（実施の形態５）
図９は、実施の形態５に係る積層型電池の第１筐体部の平面図である。図９を参照して、実施の形態５に係る積層型電池について説明する。
【００９５】
図９に示すように、実施の形態５に係る積層型電池は、実施の形態１に係る積層型電池と比較した場合に、第１筐体部１０Ｆの形状が相違する。その他の構成については、ほぼ同様である。
【００９６】
第１筐体部１０Ｆの第１対向部１１は、複数の膨出部１６Ｆと複数の平坦部１９を含む。積層方向から見た場合に、複数の膨出部１６Ｆと複数の平坦部１９とは、膨出部１６と平坦部１９とが第１方向および第２方向に交互に並ぶように配置されている。
【００９７】
このように複数の膨出部１６Ｆが設けられることにより、実施の形態５に係る積層型電池にあっても、積層体３０に対向する第１対向部１１の対向面が、積層体から積層方向に離れる方向に後退し、空隙を介して積層体３０に対向する後退面を有することとなる。
【００９８】
この結果、実施の形態５に係る積層型電池にあっても、実施の形態１に係る積層型電池とほぼ同様の効果を得ることができる。
【００９９】
（実施の形態６）
図１０は、実施の形態６に係る積層型電池の断面図である。図１０を参照して、実施の形態６に係る積層型電池１Ｇについて説明する。
【０１００】
図１０に示すように、実施の形態６に係る積層型電池１Ｇは、実施の形態２に係る積層型電池と比較した場合に、複数の絶縁板３４を備える点において相違する。その他の構成については、ほぼ同様である。
【０１０１】
絶縁板３４は、後退面が形成された対向面と積層体との間の隙間に配置されている。具体的には、絶縁板３４は、第１対向面１１ａと第１積層体３０Ａとの間の隙間、第２対向面１１ｂ１と第１積層体３０Ａとの間の隙間、第３対向面１１ｂ２と第２積層体３０Ｂとの間の隙間、および第４対向面１１ｃと第２積層体３０Ｂとの間の隙間のそれぞれに配置されている。
【０１０２】
絶縁板３４は、絶縁部材によって構成されている。絶縁性部材としては、たとえばＰＰＳ（ポリフェニレンサルファイド）、ＰＦＡ（ペルフルオロアルコキシフッ素樹脂）等の耐電解液性のある樹脂を採用することができる。
【０１０３】
絶縁板３４は、板状形状を有しており、第１積層体３０Ａ側において、絶縁板３４と、後退面１６ａ，１６ｂ１との間には空隙Ｓが介在している。同様に、第２積層体３０Ｂ側において、絶縁板３４と、後退面１６ｂ２，１６ｃとの間には空隙Ｓが介在している。
【０１０４】
このように構成される場合であっても、第１積層体３０Ａ、および第２積層体３０Ｂの各々からガスが発生した場合には、当該ガスを上記空隙に逃がすことができる。これにより、実施の形態６に係る積層型電池１Ｇにあっても実施の形態２に係る積層型電池１Ａとほぼ同様の効果が得られる。
【０１０５】
加えて、絶縁板３４が設けられることにより、第１積層体３０Ａ側においては、第１積層体３０Ａが第１対向面１１ａと第２対向面１１ｂ１とによって挟持されることにより、第１積層体３０Ａに加えられる荷重を絶縁板３４によって分散し、面内方向に略均一にすることができる。同様に、第２積層体３０Ｂ側においても、第２積層体３０Ｂが第３対向面１１ｂ２と第４対向面１１ｃとによって挟持されることにより、第２積層体３０Ｂに加えられる荷重を絶縁板３４によって分散することができる。この結果、筐体２Ａ内で積層体がずれることを抑制することができ、耐振動性を向上させることができる。
【０１０６】
なお、上述した実施の形態１〜６においては、積層型電池が、ニッケル水素電池である場合を例示して説明したが、これに限定されず、リチウムイオン電池、ニッケル亜鉛電池、ニカド電池等であってもよい。なお、リチウムイオン電池、ニッケル亜鉛電池、ニカド電池に本発明の技術的思想を適用する場合には、正極、負極、セパレータならびに電解液を構成する部材としては、各電池の種類に応じて適宜選択することができる。
【０１０７】
また、上述した実施の形態１〜６に係る積層型電池として、水またはアルコールを含む電解液を使用する水系電池を用いた場合には、電解液の電気分解によってガスが発生しやすいため、本発明の効果をより効果的に発揮させることができる。
【０１０８】
上述した実施の形態１〜６においては、複数の膨出部１６が形成されることにより、第１対向部に後退面が形成される場合を例示して説明したが、これに限定されず、第１対向部の第１対向面に溝部が形成されることにより、第１対向部に後退面が形成されてもよい。
【０１０９】
上述した実施の形態１、３〜６においては、第２筐体部における第２対向面２１ａが平坦である場合を例示して説明したが、これに限定されず、第２対向面２１ａが、積層体３０から積層方向に離れる方向に後退し、空隙Ｓを介して積層体３０に対向する後退面を有していてもよい。また、第２対向面２１ａが後退面を有する場合には、第１対向面１１ａ側には、後退面は設けられていなくてもよい。このように、第１対向面１１ａおよび第２対向面２１ａの少なくとも一方の対向面が、積層体３０から積層方向に離れる方向に後退し、空隙Ｓを介して積層体３０に対向する後退面を有していればよい。
【０１１０】
上述した実施の形態１〜６において説明した特徴的な構成は、本発明の趣旨を逸脱しない限りにおいて、適宜組み合わせてもよい。たとえば、実施の形態２、６の膨出部に実施の形態３〜５に記載の膨出部を適用してもよい。
【０１１１】
また、実施の形態１、３〜５において、第１対向面と積層体との間に絶縁板が設けられていてもよい。この場合において、後退面が形成されて第２対向面と積層体との間には、絶縁板が設けられていなくてもよいし、設けられていてもよい。
【０１１２】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１１３】
１，１Ａ，１Ｇ  積層型電池、２，２Ａ  筐体、１０，１０Ａ，１０Ｄ，１０Ｅ，１０Ｆ  第１筐体部、１０Ｂ  第２筐体部、１０Ｃ  第３筐体部、１１，１１Ａ  第１対向部、１１Ｂ  第２対向部、１１Ｃ  第３対向部、１１ａ  第１対向面、１１ｂ１，１２ａ  第２対向面、１１ｂ２  第３対向面、１１ｃ  第４対向面、１２，１３  側壁部、１２Ａ，１２Ｂ，１２Ｃ，１３Ａ，１３Ｂ，１３Ｃ  第１側壁部、１４，１５  かしめ部、１６，１６Ａ，１６Ｂ，１６Ｃ，１６Ｅ，１６Ｆ  膨出部、１６ａ，１６ｂ１，１６ｂ２，１６ｃ  後退面、１７Ａ，１７Ｂ，１７Ｃ，１８Ａ，１８Ｂ，１８Ｃ  第２側壁部、１９，１９Ａ，１９Ｂ  平坦部、２０  第２筐体部、２１  第２対向部、２１ａ  第２対向面、２２，２３  一対の側壁部、３０  積層体、３０Ａ  第１積層体、３０Ｂ  第２積層体、３１  セパレータ、３２  正極板、３３  負極板、３４  絶縁板、４１，４１Ａ，４１Ｂ，４１Ｃ，４２，４２Ａ，４２Ｂ，４２Ｃ，４３，４３Ａ，４４，４４Ａ  ガスケット、１６１  第１膨出部、１６２  第２膨出。
【図１】
2018045946.tif 000003
【図２】
2018045946.tif 000004
【図３】
2018045946.tif 000005
【図４】
2018045946.tif 000006
【図５】
2018045946.tif 000007
【図６】
2018045946.tif 000008
【図７】
2018045946.tif 000009
【図８】
2018045946.tif 000010
【図９】
2018045946.tif 000011
【図１０】
2018045946.tif 000012